(57)【要約】      （修正有）【課題】安全性が高く、高価な装置も用いず、安価で大量にもみ殻を原料とした植物生長促進資材およびその製造方法を提供する。【解決手段】もみ殻に一般的に流通している液状の肥料を少量散布し乾燥処理する事により、もみ殻の吸水性を向上でき、もみ殻が本来持っているケイ酸の効果により植物の生長を促進する事が可能となり、短時間で、安全性が高く、安価で大量にもみ殻を原料とした植物生長促進資材の製造方法。前記液状の肥料が窒素、燐酸、カリウム及びカルシウムを含むアルカリ性溶液である液体肥料である植物生長促進資材。【選択図】なし【特許請求の範囲】
【請求項１】
もみ殻の表面に液状の肥料を添加処理してなる、植物生長促進資材。
【請求項２】
液状の肥料がアルカリ性溶液であることを特徴とする請求項１に記載の植物生長促進資材。
【請求項３】
液状の肥料が窒素、燐酸、カリウム及びカルシウムを含む液体肥料であることを特徴とする請求項１に記載の植物生長促進資材。
【請求項４】
植物生長促進資材が育苗土壌または土壌代替物である事を特徴とする請求項１〜３のいずれかに記載の植物生長促進資材。
【請求項５】
もみ殻に液状の肥料を散布し乾燥処理する事を特徴とする植物生長促進資材の製造方法。
【請求項６】
請求項１〜４のいずれかに記載の植物生長促進資材を用いて植物を栽培する事を特徴とする植物の栽培方法。
【発明の詳細な説明】
【技術分野】
【０００１】  本発明は、もみ殻を原料とした植物生長促進資材に関する。
【背景技術】
【０００２】  従来のもみ殻を原料とした植物生長促進資材の製造方法は、引火性の高いエタノールを用いたり、高価なオートクレーブを用いる必要があった。
【先行技術文献】
【特許文献】
【０００３】
【特許文献１】特開２００２−３３８４２０号公報
【発明の概要】
【発明が解決しようとする課題】
【０００４】  もみ殻は重量比で約１７％ものケイ酸を含み、その量は植物の中では特出して多い。ケイ酸は植物の生長に欠かすことが出来ない成分で、茎葉の強化、耐病害菌性および耐害虫性の増加、根の伸び促進、茎葉を大きくし倒伏を防止する、果実、野菜の糖度を上げる等の作用がある事が広く知られている。しかし、同時にそのケイ酸がもみ殻の表面を覆う事により水を弾き、吸水性が悪いという側面も持つ。吸水性が悪いという事はもみ殻に含まれるケイ酸が他の植物に吸収されにくいという事である。それを解決するために、上記に述べた様に従来の方法では引火性が高いという危険性が伴ったり、高価な製造装置を必要とした。また、現在市販されているケイ酸質肥料の大部分は銑鉄、鋼などの生産時に発生する鉱さいを粉末にした、鉱さいケイ酸質肥料である。この鉱さいケイ酸質肥料の主成分は水に難溶性のメタケイ酸カルシウム（ＣａＳｉＯ３）であり、植物に吸収されにくいという問題がある。【０００５】  本発明は、このような従来技術が有していた問題を解決しようとするものであり、安全性が高く、高価な装置も用いず、安価で大量にもみ殻を原料とした植物生長促進資材の製造を実現することを目的とするものである。
【課題を解決するための手段】
【０００６】  本発明は、上記目的を達成するために、もみ殻に液状の肥料を散布し乾燥処理したものを植物生長促進資材として、更には該植物生長促進資材を植物の栽培に利用する事よりなるものである。即ち、本発明者は稲の栽培における主要な副産物であり、尚且つ大量に廃棄処分されているもみ殻の有効利用について鋭意研究した結果、もみ殻に液状の肥料を散布し乾燥処理したものが、もみ殻が本来持つ植物の生長を促進する効果を損なう事なく吸水性を高める事を見い出し、本発明をなしたものである。本発明は、更にこの液状の肥料を散布し乾燥処理したもみ殻を土壌に添加して植物生長促進資材として利用し、更にこれらの液状の肥料を散布し乾燥処理したもみ殻を利用して植物を栽培するものである。【０００７】  具体的には、本発明は、もみ殻の表面に液状の肥料を添加処理してなる、植物生長促進資材（請求項１）や、液状の肥料がアルカリ性溶液であることを特徴とする請求項１に記載の植物生長促進資材（請求項２）や、液状の肥料が窒素、燐酸、カリウム及びカルシウムを含む液体肥料であることを特徴とする請求項１に記載の植物生長促進資材（請求項３）や、植物生長促進資材が育苗土壌または土壌代替物である事を特徴とする請求項１〜３のいずれかに記載の植物生長促進資材（請求項４）や、もみ殻に液状の肥料を散布し乾燥処理する事を特徴とする植物生長促進資材の製造方法（請求項５）や、請求項１〜４のいずれかに記載の植物生長促進資材を用いて植物を栽培する事を特徴とする植物の栽培方法（請求項６）からなるものである。
【発明の効果】
【０００８】  もみ殻の表面に液状の肥料を添加するという簡単で安全で安価な方法により、もみ殻の吸水性を向上させる事ができ、もみ殻が本来持っているケイ酸の効果により植物の生長を促進される事が可能となった。吸水性を向上させるメカニズムとしては、定かではないが納豆菌の効果が推定される。もみ殻には藁と同様に自然の納豆菌が多く付着しており、アルカリ性の肥料や液体肥料を表面に添加する事により、この納豆菌の活動が活発になり、もみ殻表面のケイ酸を破壊すると推定される。しかし添加後長時間放置するとこの活動が更に進行し、もみ殻に効率的にケイ酸を残存させる事が出来なくなるため、一定時間放置後に乾燥処理を行い、納豆菌の活動を抑制する必要がある。
【図面の簡単な説明】
【０００９】【図１】図面代用写真１実施例１のカイワレ大根による生長促進活性評価試験結果を示した写真
【図２】図面代用写真２実施例３の小松菜による生長促進活性評価試験結果を示した写真
【図３】図面代用写真３実施例４の１０分後の吸水性評価試験結果を示した写真
【図４】図面代用写真４実施例４の５０分後の吸水性評価試験結果を示した写真
【図５】図面代用写真５実施例４の９０分後の吸水性評価試験結果を示した写真
【発明を実施するための形態】
【００１０】  本発明におけるもみ殻の添加処理に使用する肥料は、一般的なアルカリ性の肥料である消石灰（水酸化カルシウム）等の飽和溶液を水で希釈したもの、または窒素、燐酸、カリウム及びカルシウムを含む液体肥料を水で希釈したものを使用する。希釈倍率は使用する肥料の種類により異なるが、例えば１０〜５０００倍、好ましくは５０〜１０００倍、更に好ましくは１００〜６００倍である。添加方法は、例えばジョーロ等による散布、好ましくはボトルタイプのスプレー容器、及び農業／園芸用の噴霧器による噴霧である。添加後均等に肥料が付着されるように攪拌し、例えば１分〜７２時間、好ましくは５分〜２４時間、更に好ましくは１５分〜１時間程度放置後、乾燥させる。乾燥方法は、自然乾燥、送風乾燥、温風乾燥、伝熱乾燥などがあるが、添加量が少量なため、自然乾燥、送風乾燥で充分である。この乾燥処理を行う事により、納豆菌の活動を抑制し効率的にケイ酸を残存させる事が可能になり、安定した品質の植物生長促進資材を提供出来る。添加量は使用する肥料の種類により異なるが、例えばもみ殻１リットルに対して５〜２００ミリリットル、好ましくは１０〜１００ミリリットル、更に好ましくは２０〜６０ミリリットル程度の割合で添加する。また、散布せずに水で希釈した肥料に浸漬する事も可能である。本発明により製造された植物生長促進資材は、いわゆる一般的な肥料と異なり、現在使用している土壌の代替になるという大きな特徴を持つ。例えば、鉢植えの苗の育苗に該植物生長促進資材を使用する場合、該植物生長促進資材を使用した分の培養土を減らす事が出来る。また、該植物生長促進資材は乾燥状態で販売するため、使用時に必要な液状の肥料等を吸わせた状態で使用することが出来、ピンポイントで肥料の効果を発揮させる事が可能になる。また、陸上の植物だけでなくケイ酸質の殻を持つ植物プランクトンである珪藻の生長も促進する事が推測できる。もみ殻に石灰水を掛けて堆肥を製造する方法が見られるが、本発明はこれらとは大きく異なる。もみ殻を堆肥にするには２〜３ヶ月程度の時間が必要であるのに対して、本発明は散布、乾燥の処理を含めて数時間から数十時間で済み、１／１０００程度の時間で植物生長促進資材を製造出来る。
【００１１】  本発明の散布乾燥処理したもみ殻を、育苗あるいは植物生育用の土壌に混入または単独で使用する事により、植物生長促進効果のある農業／園芸用資材を提供する事ができる。また、直接的に土壌として使用するのではなく、水耕栽培で該生長促進資材から溶出する水溶液を植物に供給したり、植物性プランクトンの生長を促進するために海、川、池等に該生長促進資材を投入する事も可能である。本発明により得られたもみ殻は、植物生長促進効果を有すると共に、天然土壌に比較して、より軽量化した、更に通気性が良いという物性を有する土壌代替物とする事ができる。本発明の植物生長促進資材を育苗用の土壌、植物生育用の土壌あるいは水耕栽培の培養土として用いて植物を栽培する事により、その育苗期間あるいは生育期間の短縮を図るだけでなく、茎葉の強化、耐病害菌性および耐害虫性の増加、根の伸び促進、茎葉を大きくし倒伏を防止する、果実、野菜の糖度を上げる効果が期待できる。
【実施例】
【００１２】  以下に、実施例を挙げてこの発明を更に具体的に説明するが、この発明の範囲はこれらの例示に限定されるものではない。【００１３】実施例１（カイワレ大根に対する生長促進効果）  カイワレ大根に対するもみ殻散布乾燥処理物の生長促進活性を評価した。試料として、市販のカイワレ大根の種（トーホク株式会社）を、実際にカイワレ大根を製造している工場の生産方法に倣い、事前に水道水に浸漬してから発芽させた物を用いた。ビニール袋に入れたもみ殻に水道水で１００倍に希釈した消石灰（水酸化カルシウム）飽和溶液（石灰水）と、窒素、燐酸、カリウム及びカルシウムを含む液体肥料であるハイポネックス原液（株式会社ハイポネックスジャパン）を水道水で６００倍に希釈したものをそれぞれ１リットル当たり３０ミリリットルの割合で噴霧し、攪拌した後密閉して２０分間放置後、１時間程度自然乾燥させたものをプラスチック製のカップ容器にそれぞれ１５ミリリットル入れた。そこに水道水を１５ミリリットル入れ、その上に直径３ｍｍ程度の穴が４０個程空いた一回り小さなプラスチック製のカップを乗せ、濾紙を一枚敷き発芽させたカイワレ大根の種を２０粒乗せた。対照として、水道水のみ、未処理のもみ殻を用いた。室温約２５℃の室内で７日間培養した後、プラスチック製の定規を用いて２０本分の草丈、根長、葉の長さをミリ単位まで測定し、それらの小数第一位までの平均値を表１に、その結果を示した写真を図面代用写真１に示す。石灰水散布乾燥処理もみ殻の草丈は、水道水のみに対して約１３０％、未処理もみ殻に対して約１１５％、葉の長さはそれぞれ約１２５％、約１０５％になっており、ハイポネックス散布乾燥処理もみ殻の草丈及び葉の長さは水道水のみに対して約１４０％、未処理もみ殻に対して約１２０％になっている。これによりカイワレ大根を同条件で生育した場合、草丈、葉の長さに大きな伸びが見られ、液体の肥料を散布乾燥処理したもみ殻に生長促進作用がある事が確認できる。【００１４】
【表１】
2016216338.tif 000002
【００１５】実施例２（稲に対する生長促進効果）  稲に対するもみ殻散布乾燥処理物の生長促進活性を評価した。試料として、発芽させた種もみを用いた。ビニール袋に入れたもみ殻に水道水で１００倍に希釈した消石灰（水酸化カルシウム）飽和溶液（石灰水）を１リットル当たり３０ミリリットルの割合で噴霧し、攪拌した後密閉して２０分間放置後、１時間程度自然乾燥させたものを、プラスチック製のカップ容器に２０ミリリットル入れ、その上に発芽させた種もみ７粒を乗せ、５ミリリットルの覆土をして、水道水２０ミリリットルを加えた。対照として、市販の培養土、未処理のもみ殻を用いた。室温約２０℃の室内で４０日間培養した後、プラスチック製の定規を用いて７本分の草丈、根長をミリ単位まで測定し、それらの小数第一位までの平均値を表２に示す。石灰水散布乾燥処理もみ殻の草丈は、培養土の約７０％しかないが、根長は約３１５％ある。一般的に育苗段階の稲は、根が長い方が良好と言われており、散布乾燥処理もみ殻の場合は、まさにそれに当てはまる状態となっている。また、散布乾燥処理もみ殻は軽いため高齢者の多い米農家では大幅な作業の負担軽減となる。【００１６】
【表２】
2016216338.tif 000003
【００１７】実施例３（小松菜に対する生長促進効果）  小松菜に対するもみ殻散布乾燥処理物の生長促進活性を評価した。試料として、市販の小松菜の種（カネコ種苗株式会社）を用いた。ビニール袋に入れたもみ殻に水道水で１００倍に希釈した消石灰（水酸化カルシウム）飽和溶液（石灰水）と、窒素、燐酸、カリウム及びカルシウムを含む液体肥料であるハイポネックス原液（株式会社ハイポネックスジャパン）を水道水で６００倍に希釈したものをそれぞれ１リットル当たり３０ミリリットルの割合で噴霧し、攪拌した後密閉して２０分間放置後、１時間程度自然乾燥させたものをプラスチック製のカップ容器にそれぞれ１５ミリリットル入れた。そこに水道水を１５ミリリットル入れ、その上に直径３ｍｍ程度の穴が４０個程空いた一回り小さなプラスチック製のカップを乗せ、濾紙を一枚敷き小松菜の種を８粒乗せた。対照として、水道水のみ、未処理のもみ殻を用いた。室温約２５℃の室内で７日間培養した後、プラスチック製の定規を用いて８本分の草丈、根長、葉の長さをミリ単位まで測定し、それらの小数第一位までの平均値を表３に、その結果を示した写真を図面代用写真２に示す。石灰水散布乾燥処理もみ殻の草丈は、水道水のみに対して約１３５％、未処理もみ殻に対して約１３０％、葉の長さはそれぞれ約１７５％、約１５０％になっており、ハイポネックス散布乾燥処理もみ殻の草丈は水道水のみに対して約１４５％、未処理もみ殻に対して約１４０％、葉の長さはそれぞれ約１８０％、約１５０％になっている。これにより小松菜を同条件で生育した場合、草丈、葉の長さに大きな伸びが見られ、液体の肥料を散布乾燥処理したもみ殻に生長促進作用がある事が確認できる。【００１８】
【表３】
2016216338.tif 000004
【００１９】実施例４（吸水性効果）  散布乾燥処理もみ殻が、未処理のもみ殻に対してどの程度吸水性が高いかを評価した。試料としてビニール袋に入れたもみ殻に水道水で１００倍に希釈した消石灰（水酸化カルシウム）飽和溶液（石灰水）と、窒素、燐酸、カリウム及びカルシウムを含む液体肥料であるハイポネックス原液（株式会社ハイポネックスジャパン）を水道水で２００倍に希釈したものを、それぞれ１リットル当たり３０ミリリットルの割合で噴霧し、攪拌した後密閉して２０分間放置後、１時間程度自然乾燥させたもの、および未処理のもみ殻を用いた。実験方法は、プラスチック製のカップに水道水を３０ミリリットル入れ、その中に上記３種類の試料を同時に１５ミリリットルずつ入れ、５分間隔で色の変化を観察した。その結果を図面代用写真３、４、５に示す。もみ殻の色は乾燥状態だと白っぽく、吸水すると黒っぽく変化し、ほぼ全てのもみ殻の色が黒っぽく変わった時間を吸水時間とした。２００倍のハイポネックス散布乾燥処理もみ殻は１０分でほぼ全てのもみ殻が吸水し（図面代用写真３）、石灰水散布乾燥処理もみ殻は５０分（図面代用写真４）、未処理もみ殻は９０分掛かった（図面代用写真５）。これにより、散布乾燥処理したもみ殻は未処理のもみ殻に比べて吸水性が高い事が分かる。
【図１】
2016216338.tif 000005
【図２】
2016216338.tif 000006
【図３】
2016216338.tif 000007
【図４】
2016216338.tif 000008
【図５】
2016216338.tif 000009